(57)【特許請求の範囲】
【請求項１】
対向局側から断続パターンに差異がある呼び出し信号が到来する局側インタフェースの呼び出し信号検出システムにおいて、
前記呼び出し信号を構成する交流信号を整流し、上側半波、下側半波別に平滑して矩形波を形成する整流・平滑部と、
前記整流・平滑回路から得た上側半波、下側半波別の矩形波を論理積により波形処理し矩形波から次の矩形波までの呼び出し信号の断続パターンを形成する論理積回路と、
差異がある前記呼び出し信号の断続パターンと前記論理席回路により形成された前記断続パターンとを比較し、前記論理席回路により形成された前記断続パターンに近似する、差異がある前記呼び出し信号の断続パターンの種別を認識する制御回路とを備えることを特徴とする局側インタフェースの呼び出し信号検出システム。
【請求項２】
前記論理積回路は、呼び出し信号の停止時に局側から到来し上側半波又は下側半波に生じる電圧残りを除去することを特徴とする、請求項１に記載の局側インタフェースの呼び出し信号検出システム。
【請求項３】
前記論理積回路は、呼び出し信号の開始時に局側から単発的に到来し上側半波又は下側半波に生じる電話回線極性反転ノイズを除去することを特徴とする、請求項１に記載の局側インタフェースの呼び出し信号検出システム。
【請求項４】
前記論理積回路は、呼び出し信号の開始時に局側から単発的に到来し上側半波に生じる電話回線極性反転ノイズを除去し、同時に呼び出し信号の停止時に局側から到来し上側半波又は下側半波に生じる電圧残りを除去することを特徴とする、請求項１に記載の局側インタフェースの呼び出し信号検出システム。
【請求項５】
前記制御回路は、差異がある前記呼び出し信号の断続パターンと前記論理席回路により形成された前記断続パターンとを比較し、前記論理席回路により形成された前記断続パターンに近似する、差異がある前記呼び出し信号の断続パターンの種別を認識する際に、前記論理積回路による波形処理に対して呼び出し信号の矩形波の変動幅として呼び出し信号の交流成分に換算して０〜１周期分を余裕にとり、差異がある呼び出し信号の断続パターンの種別を認識することを特徴とする、請求項１に記載の局側インタフェースの呼び出し信号検出システム。
【請求項６】
対向局側から断続パターンに差異がある呼び出し信号が到来する局側インタフェースの呼び出し信号検出方法において、
前記呼び出し信号を構成する交流信号を整流する工程と、
整流された呼び出し信号を上側半波、下側半波別に平滑して矩形波を形成する工程と、
平滑された上側半波、下側半波別の前記矩形波を論理積により波形処理して矩形波から次の矩形波までの呼び出し信号の断続パターンを形成する工程と、
差異がある前記呼び出し信号の断続パターンと前記論理席回路により形成された前記断続パターンとを比較し、前記論理席回路により形成された前記断続パターンに近似する、差異がある前記呼び出し信号の断続パターンの種別を認識する工程とを備えることを特徴とする局側インタフェースの呼び出し信号検出方法。
【発明の詳細な説明】
【０００１】
【産業上の利用分野】
本発明は対向する局から局側インタフェースに到来する呼び出し信号を検出する局側インタフェースの呼出信号検出システムに関する。特に、本発明は、呼び出し信号の断続時間パターンを正確に認識するために波形整形を行う局側インタフェースの呼出信号検出システム及び方法に関する。
【０００２】
【従来の技術】
近年、複数の電話回線を複数の電話機で共同使用する電子式ボタン電話装置のような端末は、各種のサービスを提供している。
対向局である交換機により、呼び出される側、すなわち、着信側の電話回線が捕捉されると、電子式ボタン装置に呼び出し信号が出力される。
【０００３】
この場合、特に、対向局である交換機から電子式ボタン電話装置に到来する呼び出し信号の断続時間のパターンに差異を持たせ、呼び出し信号の継続時間のパターン種別を認識させることにより、呼び出された電話機を検出して検出された電話機内の着信音を鳴動させたり、着信表示の点灯をさせたりするサービスが提供される。
【０００４】
このため、電子式ボタン電話装置には呼び出し信号検出回路が設けられ、呼び出し信号検出回路は、呼び出し信号の断続時間のパターン種別を認識する。
次に、複数の電話機に電話回線で接続されている交換機に対向局の交換機から呼び出し信号が到来すると、該当する電話機に呼び出し音が出力され、該当する電話機に対して、発信者番号の通知のサービスが提供されるが、近年、さらに、発信者番号の通知、非通知で呼び出し信号の断続時間のパターンに差異を持たせ、着信音で発信者番号の通知、非通知が判断できるサービスを提供している。
【０００５】
このため、交換機には呼び出し信号検出回路が設けられ、呼び出し信号検出回路は、呼び出し信号の断続時間のパターン種別を認識する。
なお、上記の呼び出し信号検出回路に対して、特開平５−６３７６５号公報に局線からの着信信号を検出する着信検出回路を開示しているものがある。
ところで、何らかの理由により上記電子式ボタン電話装置、上記交換機の呼び出し検出回路が呼び出し信号の継続時間のパターン種別を認識できなくなると、呼び出し信号の到来を認識できず、呼び出された電話機の検出が不可能になり、呼び出音により電話機の発信者番号の通知、非通知を識別することが不可能になり、折角のサービス提供が不可能になる。
【０００６】
このため、呼び出し信号検出回路には、到来した呼び出し信号の断続時間を正確に認識することが要求される。以下に上記の呼び出し信号検出回路を説明する。
図１４は本発明の前提となる呼び出し信号検出回路の概略を示す図である。なお、全図を通して同一の構成要素には同一の番号、符号を付して説明を行う。
本図に示すように、対向する局側に局側インタフェースの呼び出し信号検出回路５０が接続され、呼び出し信号検出回路５０には、先ずその一方の入力側に、直流遮断用コンデンサ４と抵抗５の直流回路が設けられ、直流遮断用コンデンサ４及び抵抗５は呼び出し信号検出回路の入力インピーダンスを形成する。
【０００７】
さらに、抵抗５には、並列な半波整流用ホトカプラ１−１、１−２の一方が接続され、半波整流用ホトカプラ１−１、１−２は対向する局から到来する呼び出し信号を整流する際に、上側半波と下側半波に分けそれぞれを半波整流し、矩形波の信号に変換する。
さらに、呼び出し信号検出回路の他方の入力側から見て前段、後段には、カソードが相互に接続された２つのツェナーダイオード６、７が設けられ、後段のツェナーダイオード７のアノードには並列な半波整流用ホトカプラ１−１、１−２の他方が接続される。
【０００８】
ツェナーダイオード６、７は、低レベルの雑音信号により半波整流用ホトカプラ１−１、１−２が誤動作するのを防止するために使用される。
半波整流用ホトカプラ１−１、１−２には平滑回路２が接続され、平滑回路２は半波整流用ホトカプラ１−１、１−２により変換された矩形波の出力を平滑する。
【０００９】
平滑回路２の出力側には制御回路３が接続され、制御回路３は平滑回路２から呼び出し信号の矩形の平滑信号を入力し、対向局が送出した呼び出し信号の断続のパターン種別を認識する。
図１５は図１４における呼び出し検出回路の動作を説明するタイミングチャートである。
本図（ａ）に示すように、対向する局から局側インタフェースの呼び出し検出回路に到来する呼び出し信号は直流信号に断続の交流信号を重畳したものである。直流遮断用コンデンサ４により直流成分が遮断され、抵抗５により入力信号のレベルの大きさが調整される。
【００１０】
本図（ｂ）に示すように、呼び出し信号の上側半波において、前段のツェナーダイオード６のツェナー電圧を越えた場合にのみ半波整流用ホトカプラ１−１のエミッタとコレクタが導通状態になり、半波整流が行われ、矩形波が出力される。
本図（ｃ）に示すように、呼び出し信号の下側半波において、後段のツェナーダイオード７のツェナー電圧を越えた場合にのみ半波整流用ホトカプラ１−２のエミッタとコレクタが導通状態になり、半波整流が行われ、矩形波が出力される。
【００１１】
本図（ｄ）に示すように、平滑回路２への入力信号は、半波整流用ホトカプラ１−１、１−２からの出力信号の合成である。
本図（ｅ）に示すように、平滑回路２は、入力信号を平滑して、１つの矩形波を形成する。制御回路３は、この矩形波と次に矩形波までの断続パターンにより呼び出し信号の断続パターン種別を認識する。
【００１２】
【発明が解決しょうとする課題】
しかしながら、上記呼び出し信号検出回路には次のような問題が発生する。
図１６は呼び出し信号停止時に発生する電圧残りに起因して見かけ上の呼び出し信号停止時が伸びる呼び出し信号検出回路の動作例を示すタイムチャートである。
【００１３】
本図（ａ）に示すように、対向局側では、呼び出し信号の停止時に、一例として呼び出し信号の上側半波に電圧残りが発生し、発生した電圧残りが呼び出し検出回路に到来する。
本図（ｂ）に示すように、対向局側で発生した電圧残りの分だけ、半波整流用ホトカプラ１−１の出力の矩形波末端が伸びる。
本図（ｃ）に示すように、半波整流用ホトカプラ１−２の出力は、局側で発生した電圧残りの影響を受けず、正常な出力の波形を示す。
【００１４】
本図（ｄ）に示すように、平滑回路２は本図（ｂ）の半波整流用ホトカプラ１−１の出力、本図（ｃ）の半波整流用ホトカプラ１−２出力を平滑する。
本図（ｅ）に示すように、結果として、平滑回路２の出力波形末端にも伸びが生じ、制御回路３の入力の見かけ上の呼び出し信号の停止と実際の呼び出し信号の停止との間に差が生じてしまう。
【００１５】
次に、電圧残りが発生する場合に、制御回路３により、呼び出し信号の断続パターンが認識される例を説明する。
図１７は呼び出し信号停止時に電圧残りが発生しない場合と発生する場合の呼び出し信号の断続を説明する図である。
呼び出し信号停止時に電圧残りが発生しない場合には、呼び出し信号は、本図（ａ）に示すように、ＯＮ、ＯＦＦの断続を行っているとする。制御部３は断続を行っている呼び出し信号のＯＮ時間、ＯＦＦ時間のパターンを認識する。
【００１６】
本図（ｂ）に示すように、呼び出し信号停止時に電圧残りが発生する場合には、平滑回路２の出力波形末端の伸びにより、本図（ａ）と比較して、呼び出し信号のＯＮ時間が長くなり、ＯＦＦ時間が短くなる。このため、制御部３は長くなったＯＮ時間、短くなったＯＦＦ時間のパターンにより呼び出し信号の断続パターンを認識することになる。
【００１７】
換言すれば、呼び出し信号の断続パターン同士が近似している場合には、制御部３が呼び出し信号の断続パターンを誤認識するという問題が発生する。
この誤認識に起因して、誤った電話機に対して、着信音の鳴動、着信表示の点灯が行われ、発信者番号の通知、非通知の識別を誤った着信音の鳴動になる。
次に、呼び出し信号の送出の予告として、対向局である交換機で回線の極性反転が行われる。
【００１８】
この場合に、上記呼び出し信号検出回路には次のような問題が発生する。
図１８は回線の極性反転時に発生するノイズに起因して見かけ上の呼び出し信号開始時が早まる呼び出し信号検出回路の動作例を示すタイムチャートである。本図（ａ）に示すように、対向局側では、回線の極性反転時に、一例として呼び出し信号の下側半波に呼び出し信号の出力開始前にノイズが発生し、呼び出し信号検出回路に到来する。
【００１９】
本図（ｂ）に示すように、半波整流用ホトカプラ１−１の出力は、上記のノイズの影響を受けず、正常な出力の波形を示す。
本図（ｃ）に示すように、上記のノイズの分だけ、半波整流用ホトカプラ１−２の出力の矩形波開始端が早まる。
本図（ｄ）に示すように、平滑回路２への入力信号は、半波整流用ホトカプラ１−１、１−２からの出力信号の合成である。
【００２０】
本図（ｅ）に示すように、結果として、平滑回路２の出力波形開始端も早まり、制御回路３の入力の見かけ上の呼び出し信号の開始と実際の呼び出し信号の開始との間に差が生じてしまう。
次に、回線極性反転ノイズが発生する場合に、制御回路３により、呼び出し信号の断続パターンが認識される例を説明する。
図１９は呼び出し信号開始時に回線極性反転ノイズが発生しない場合と発生する場合の呼び出し信号の断続を説明する図である。
【００２１】
呼び出し信号開始時に回線極性反転ノイズが発生しない場合には、呼び出し信号は、本図（ａ）に示すように、ＯＮ、ＯＦＦの断続を行っているとする。制御部３は断続を行っている呼び出し信号のＯＮ時間、ＯＦＦ時間のパターンを認識する。
本図（ｂ）に示すように、回線極性反転時に単発的に正規の呼び出し信号ではないノイズが発生する場合には、平滑回路２の出力波形開始端の早まりにより、本図（ａ）と比較して、呼び出し信号のＯＮ時間が長くなる。
【００２２】
このため、制御部３は、呼び出し信号開始時に、長くなったＯＮ時間、通常のＯＦＦ時間のパターンにより呼び出し信号の断続パターンを認識することになる。
換言すれば、呼び出し信号の断続パターン同士が近似している場合には、呼び出し信号開始時に制御部３が呼び出し信号の断続パターンを誤認識するという問題が発生する。
この誤認識に起因して、呼び出し信号開始時に、誤った電話機に対して、着信音の鳴動、着信表示の点灯が行われることになり、発信者番号の通知、非通知を誤って識別して誤った着信音の鳴動が行われる。
【００２３】
したがって、本発明は上記問題点に鑑みて、対向局より到来する呼び出し信号停止時の電圧残り、呼び出し信号の開始時の単発的な回線極性反転ノイズに対して、呼び出し信号の断続パターンを正確に認識して電話機への正確な着信音の鳴動、着信表示の点灯を行え、発信者番号の通知、非通知を正確に識別して正確な着信音の鳴動を行える局側インタフェースの呼び出し信号検出システム及び方法を提供することを目的とする。
【００２４】
【課題を解決するための手段】
本発明は前記問題点を解決するために、対向局側から断続パターンに差異がある呼び出し信号が到来する局側インタフェースの呼び出し信号検出システムにおいて、前記呼び出し信号を構成する交流信号を整流し、上側半波、下側半波別に平滑して矩形波を形成する整流・平滑部と、前記整流・平滑回路から得た上側半波、下側半波別の矩形波を論理積により波形処理し矩形波から次の矩形波までの呼び出し信号の断続パターンを形成する論理積回路と、差異がある前記呼び出し信号の断続パターンと前記論理席回路により形成された前記断続パターンとを比較し、前記論理席回路により形成された前記断続パターンに近似する、差異がある前記呼び出し信号の断続パターンの種別を認識する制御回路とを備えることを特徴とする局側インタフェースの呼び出し信号検出システムを提供する。
【００２５】
さらに、好ましくは、前記論理積回路は、呼び出し信号の停止時に局側から到来し上側半波又は下側半波に生じる電圧残りを除去する。
さらに、好ましくは、前記論理積回路は、呼び出し信号の開始時に局側から単発的に到来し上側半波又は下側半波に生じる電話回線極性反転ノイズを除去する。
さらに、好ましくは、前記論理積回路は、呼び出し信号の開始時に局側から単発的に到来し上側半波に生じる電話回線極性反転ノイズを除去し、同時に呼び出し信号の停止時に局側から到来し上側半波又は下側半波に生じる電圧残りを除去する。
【００２６】
これらの手段により、呼び出し信号停止時の電圧残り、電話回線の極性反転時のノイズに対して、対向局より到来した呼び出し信号の断続パターンを正確に認識することが可能になり、電話機への正確な着信音の鳴動、着信表示の点灯が可能になり、発信者番号の通知、非通知を正確に識別して正確な着信音の鳴動が可能になる。また、最小の回路構成の追加で最適な呼び出し信号検出回路を低価格で実現することが可能になる。
【００２７】
好ましくは、前記制御回路は、差異がある前記呼び出し信号の断続パターンと前記論理席回路により形成された前記断続パターンとを比較し、前記論理席回路により形成された前記断続パターンに近似する、差異がある前記呼び出し信号の断続パターンの種別を認識する際に、前記論理積回路による波形処理に対して呼び出し信号の矩形波の変動幅として呼び出し信号の交流成分に換算して０〜１周期分を余裕にとり、差異がある呼び出し信号の断続パターンの種別を認識する。
この手段により、規定の呼び出し信号の認識を厳格にしすぎると、上記の変動幅に対して、規定の呼び出し信号でないとの誤認識になるが、上記の余裕を取ることにより、規定の呼び出し信号か否かの認識が正確になり、電子式ボタン電話装置の電話機への正確な着信音の鳴動、着信表示の点灯が可能になり、発信者番号の通知、非通知を正確に識別して正確な着信音の鳴動が可能になる。
【００２８】
さらに、本発明は、対向局側から断続パターンに差異がある呼び出し信号が到来する局側インタフェースの呼び出し信号検出方法において、前記呼び出し信号を構成する交流信号を整流する工程と、整流された呼び出し信号を上側半波、下側半波別に平滑して矩形波を形成する工程と、平滑された上側半波、下側半波別の前記矩形波を論理積により波形処理して矩形波から次の矩形波までの呼び出し信号の断続パターンを形成する工程と、差異がある前記呼び出し信号の断続パターンと前記論理席回路により形成された前記断続パターンとを比較し、前記論理席回路により形成された前記断続パターンに近似する、差異がある前記呼び出し信号の断続パターンの種別を認識する工程とを備えることを特徴とする局側インタフェースの呼び出し信号検出方法を提供する。
【００２９】
これらの手段により、上記発明と同様に、呼び出し信号停止時の電圧残り、電話回線の極性反転時のノイズに対して、対向局より到来した呼び出し信号の断続パターンを正確に認識することが可能になり、電話機への正確な着信音の鳴動、着信表示の点灯が可能になり、発信者番号の通知、非通知を正確に識別して正確な着信音の鳴動が可能になる。また、最小の回路構成の追加で最適な呼び出し信号検出回路を低価格で実現することが可能になる。
【００３０】
【発明の実施の形態】
以下、本発明の実施の形態について図面を参照して説明する。
図１は本発明に係る端末の局側インタフェースの呼び出し信号検出システムを説明する概略構成を示すブロック図である。
本図に示すように、蓄積プログラム方式交換機１０に複数の電話回線２０を介して端末３０に接続される。
【００３１】
端末３０は複数の電話回線を複数の電話機で共同使用する電子式ボタン電話装置であり、外線通話機能、内線通話機能、その他種々のサービス機能を有する。端末３０には、局側トランクインタフェース４０とこれに接続される複数の電話機６０とが設けられる。
局側トランクインタフェース４０は、蓄積プログラム方式交換機１０に複数の電話回線２０を介して接続され、内蔵する通話路スイッチにより外線−内線間、内線相互間の接続を行う。
【００３２】
さらに、局側トランクインタフェース４０には呼び出し信号検出回路５０が設けられ、呼び出し信号検出回路５０は、対向局である蓄積プログラム方式交換機１０が着信側の電話回線を捕捉した時に、局側トランクインタフェース４０に到来する呼び出し信号を検出して呼び出し信号の断続パターンの種別を認識する。図２は本発明に係る交換局の局側インタフェースの呼び出し信号検出システムを説明する概略構成を示すブロック図である。
本図に示すように、蓄積プログラム方式交換機１０に電話回線２０を介して複数の電話機６０が接続される。
【００３３】
蓄積プログラム方式交換機１０には局側トランクインタフェース４０が設けられ、局側トランクインタフェース４０は内蔵する通話路スイッチにより同一の交換機に接続される電話機間、異なる交換機に接続される電話機間の接続を行う。さらに、局側トランクインタフェース４０には呼び出し信号検出回路５０が設けられ、呼び出し信号検出回路５０は、対向局から到来する発信者番号の通知、非通知の呼び出し信号を検出して呼び出し信号の断続パターンの種別を認識する。
【００３４】
図３は図１、図２における呼び出し信号検出回路５０の概略構成を示す図である。本図に示すように、対向局に呼び出し信号検出回路５０が接続される。
対向局の極性は、通常ノーマル状態にあるが、対向局が着信側の電話回線を捕捉した時に、着信の予告を行うために、その極性が反転され、レバース状態になる。
【００３５】
呼び出し信号検出回路５０の構成で、図１３と比較して、異なる要素は、平滑回路２−１、２−２を有する平滑回路２と、論理積回路８とである。
平滑回路２−１、２−２は半波整流用ホトカプラ１−１、１−２にそれぞれ接続され、半波整流用ホトカプラ１−１、１−２より半波整流された矩形波の出力をそれぞれ平滑する。
【００３６】
論理積回路８は、平滑回路２−１、２−２の出力に接続され、それぞれの出力波形を合成し、整形し、呼び出し信号の連続部分のみを有効な呼び出し信号として制御回路３に送る。
具体的には、論理積回路８は、平滑回路２−１、２−２で平滑したそれぞれの出力波形の論理積をとるゲート素子で構成されるＡＮＤ回路である。
【００３７】
制御回路３は、論理積回路８のＡＮＤ回路から出力された呼び出し信号の有効波形の有無を監視することにより、到来した呼び出し信号の断続パターンを認識する。
このようにして、最小の回路構成の追加で最適な呼び出し信号検出回路を低価格で実現することが可能になる。
図４は図３における呼び出し信号検出回路５０の動作例を示すタイムチャートである。
【００３８】
本図（ａ）に示すように、呼び出し検出回路に入力する呼び出し信号は直流信号に断続の交流信号を重畳したものである。
すなわち、回線の極性がノーマル状態からレバース状態になった直流信号に交流信号が重畳される。
本図（ｂ）に示すように、呼び出し信号の上側半波において、前段のツェナーダイオード６のツェナー電圧を越えた場合にのみ半波整流用ホトカプラ１−１のエミッタとコレクタが導通状態になり、半波整流が行われ、矩形波が出力される。
【００３９】
本図（ｃ）に示すように、呼び出し信号の下側半波において、後段のツェナーダイオード７のツェナー電圧を越えた場合にのみ半波整流用ホトカプラ１−２のエミッタとコレクタが導通状態になり、半波整流が行われ、矩形波が出力される。
本図（ｄ）に示すように、平滑回路２−１は本図（ｂ）の半波整流用ホトカプラ１−１の出力を平滑する。
【００４０】
本図（ｅ）に示すように、平滑回路２−２は本図（ｃ）の半波整流用ホトカプラ１−１の出力を平滑する。
本図（ｆ）に示すように、論理積回路８のＡＮＤ回路は、本図（ｄ）における平滑回路２−１の出力波形、本図（ｅ）における平滑回路２−２の出力波形の論理積を取ることにより、波線にて表記した部分が除去される。
【００４１】
すなわち、この波形整形により、半波整流用ホトカプラ１−１の出力の先端部分と、半波整流用ホトカプラ１−２の出力の末端部分が除去される矩形波が形成される。
次に、呼び出し信号停止時に発生する電圧残りに起因して見かけ上の呼び出し信号停止時が伸びるのを抑制する例を説明する。
図５は図３における呼び出し信号検出回路５０の動作例であり、呼び出し信号の上側半波に電圧残りが発生する場合の例を示すタイムチャートである。
【００４２】
本図（ａ）に示すように、呼び出し信号停止時には、呼び出し信号の上側半波に電圧残りが発生する。電圧残りは、呼び出し信号の停止時に対向局側から到来するノイズである。
本図（ｂ）に示すように、上記の電圧残りの分だけ、半波整流用ホトカプラ１−１の出力の矩形波末端が伸びる。
【００４３】
本図（ｃ）に示すように、半波整流用ホトカプラ１−２の出力は、上記の電圧残りの影響を受けず、正常な出力の波形を示す。
本図（ｄ）に示すように、平滑回路２−１は本図（ｂ）の半波整流用ホトカプラ１−１の出力を平滑する。
本図（ｅ）に示すように、平滑回路２−２は本図（ｃ）の半波整流用ホトカプラ１−２の出力を平滑する。
【００４４】
本図（ｆ）に示すように、論理積回路８のＡＮＤ回路は、本図（ｄ）における平滑回路２−１の出力波形、本図（ｅ）における平滑回路２−２の出力波形の論理積を取ることにより、波線にて表記した部分が除去される。
すなわち、この波形整形により、電圧残りに起因する半波整流用ホトカプラ１−１の出力矩形波末端の伸び部分と共に半波整流用ホトカプラ１−１の出力の先端部分が除去される。
【００４５】
この場合、半波整流用ホトカプラ１−２の出力の末端部分が除去されない。
図６は図３における呼び出し信号検出回路５０の動作例であり、呼び出し信号の下側半波に電圧残りが発生する場合の例を示すタイムチャートである。
本図（ａ）に示すように、呼び出し信号停止時には、呼び出し信号の下側半波に電圧残りが発生する。
【００４６】
本図（ｂ）に示すように、半波整流用ホトカプラ１−１の出力は、上記の電圧残りの影響を受けず、正常な出力の波形を示す。
本図（ｃ）に示すように、上記の電圧残りの分だけ、半波整流用ホトカプラ１−２の出力の矩形波末端が伸びる。
本図（ｄ）に示すように、平滑回路２−１は本図（ｂ）の半波整流用ホトカプラ１−１の出力を平滑する。
【００４７】
本図（ｅ）に示すように、平滑回路２−２は本図（ｃ）の半波整流用ホトカプラ１−１の出力を平滑する。
本図（ｆ）に示すように、論理積回路８のＡＮＤ回路は、本図（ｄ）における平滑回路２−１の出力波形、本図（ｅ）における平滑回路２−２の出力波形の論理積を取ることにより、波線にて表記した部分が除去される。
【００４８】
すなわち、この波形整形により、電圧残りに起因する半波整流用ホトカプラ１−１の出力矩形波末端の伸び部分と共に、半波整流用ホトカプラ１−１の出力の先端部分、半波整流用ホトカプラ１−２の出力の末端部分が除去される。
次に、呼び出し信号開始時に発生する回線極性反転ノイズに起因して見かけ上の呼び出し信号開始時が早まるのを抑制する例を説明する。
【００４９】
図７は図３における呼び出し信号検出回路５０の動作例であり、呼び出し信号の上側半波に回線極性反転ノイズが発生する場合の例を示すタイムチャートである。
本図（ａ）に示すように、対向局から呼び出し信号の送出先に予告として、回線の極性反転が正極（ノーマル状態：＋Ｖ）から負極（レバース状態：−Ｖ）に行われるとする。
【００５０】
本図（ｂ）に示すように、呼び出し信号の開始前に、呼び出し信号の上側半波に回線極性反転ノイズが単発的に発生する。回線極性反転ノイズは、呼び出し信号の開始前に回線の極性反転に伴って対向局側から到来するノイズである。
本図（ｃ）に示すように、上記のノイズの分だけ、半波整流用ホトカプラ１−１の出力の矩形波開始端が早まる。
【００５１】
本図（ｄ）に示すように、半波整流用ホトカプラ１−２の出力は、上記のノイズの影響を受けず、正常な出力の波形を示す。
本図（ｅ）に示すように、平滑回路２−１は本図（ｃ）の半波整流用ホトカプラ１−１の出力を平滑する。
本図（ｆ）に示すように、平滑回路２−２は本図（ｄ）の半波整流用ホトカプラ１−２の出力を平滑する。
【００５２】
本図（ｇ）に示すように、論理積回路８は、本図（ｅ）における平滑回路２−１の出力波形、本図（ｆ）における平滑回路２−２の出力波形の論理積を取ることにより、波線にて表記した部分が除去される。
すなわち、この波形整形により、半波整流用ホトカプラ１−１の出力矩形波開始端の早まり部分と共に、半波整流用ホトカプラ１−１の出力の先端部分、半波整流用ホトカプラ１−２の出力の末端部分とが除去される。
【００５３】
図８は図３における呼び出し信号検出回路５０の動作例であり、呼び出し信号の下側半波に回線極性反転ノイズが発生する場合の例を示すタイムチャートである。
本図（ａ）に示すように、対向局から呼び出し信号の送出先に予告として、回線の極性反転が正極（ノーマル状態：＋Ｖ）から負極（レバース状態：−Ｖ）に行われるとする。
【００５４】
本図（ｂ）に示すように、呼び出し信号の開始前に、呼び出し信号の下側半波に回線極性反転ノイズが単発的に発生する。
本図（ｃ）に示すように、半波整流用ホトカプラ１−１の出力は、上記のノイズの影響を受けず、正常な出力の波形を示す。
本図（ｄ）に示すように、上記のノイズの分だけ、半波整流用ホトカプラ１−２の出力の矩形波開始端が早まる。
【００５５】
本図（ｅ）に示すように、平滑回路２−１は本図（ｃ）の半波整流用ホトカプラ１−１の出力を平滑する。
本図（ｆ）に示すように、平滑回路２−２は本図（ｄ）の半波整流用ホトカプラ１−２の出力を平滑する。
本図（ｇ）に示すように、論理積回路８は、本図（ｅ）における平滑回路２−１の出力波形、本図（ｆ）における平滑回路２−２の出力波形の論理積を取ることにより、波線にて表記した部分が除去される。
【００５６】
すなわち、この波形整形により、半波整流用ホトカプラ１−２の出力矩形波開始端の早まりと部分共に、半波整流用ホトカプラ１−２の出力の末端部分とが除去される。
次に、組み合わせられた電圧残りと回線極性反転ノイズの除去について説明する。
図９は、図３における呼び出し信号検出回路５０の動作例で、呼び出し信号の上側半波に電圧残り、回線極性反転ノイズの双方が発生する場合の例を示すタイムチャートである。
【００５７】
本図（ａ）に示すように、対向局から呼び出し信号の送出先に予告として、回線の極性反転が正極（ノーマル状態：＋Ｖ）から負極（レバース状態：−Ｖ）に行われるとする。
本図（ｂ）に示すように、呼び出し信号の開始前に呼び出し信号の上側半波に回線極性反転ノイズが単発的に発生し、呼び出し信号停止時には、呼び出し信号の上側半波に電圧残りが発生する。
【００５８】
本図（ｃ）に示すように、上記の回線極性ノイズの分だけ半波整流用ホトカプラ１−１の出力の矩形波開始端が早まり、上記の電圧残りの分だけ、半波整流用ホトカプラ１−１の出力の矩形波末端が伸びる。
本図（ｄ）に示すように、半波整流用ホトカプラ１−２の出力は、上記のノイズの影響を受けず、正常な出力の波形を示す。
【００５９】
本図（ｅ）に示すように、平滑回路２−１は本図（ｃ）の半波整流用ホトカプラ１−１の出力を平滑する。
本図（ｆ）に示すように、平滑回路２−２は本図（ｄ）の半波整流用ホトカプラ１−２の出力を平滑する。
本図（ｇ）に示すように、論理積回路８のＡＮＤ回路は、本図（ｅ）における平滑回路２−１の出力波形、本図（ｆ）における平滑回路２−２の出力波形の論理積を取ることにより、波線にて表記した部分が除去される。
【００６０】
すなわち、この波形整形により、半波整流用ホトカプラ１−１の出力の電圧残りに起因する半波整流用ホトカプラ１−１の出力矩形波末端の伸びが除去され、半波整流用ホトカプラ１−１の出力矩形波開始端の早まりが除去される。
この場合、半波整流用ホトカプラ１−１の出力の先端部分が除去されるが、半波整流用ホトカプラ１−２の出力の末端部分が除去されない。
【００６１】
図１０は、図３における呼び出し信号検出回路５０の動作例で、呼び出し信号の上側半波に電圧残り、呼び出し信号の下側半波に回線極性反転ノイズが発生する場合の例を示すタイムチャートである。
本図（ａ）に示すように、対向局から呼び出し信号の送出先に予告として、回線の極性反転が正極（ノーマル状態：＋Ｖ）から負極（レバース状態：−Ｖ）に行われるとする。
【００６２】
本図（ｂ）に示すように、呼び出し信号の開始前に呼び出し信号の下側半波に回線極性反転ノイズが単発的に発生し、呼び出し信号停止時には、呼び出し信号の上側半波に電圧残りが発生する。
本図（ｃ）に示すように、上記の電圧残りの分だけ、半波整流用ホトカプラ１−１の出力の矩形波末端が伸びる。
【００６３】
本図（ｄ）に示すように、上記の回線極性ノイズの分だけ半波整流用ホトカプラ１−２の出力の矩形波開始端が早まる。
本図（ｅ）に示すように、平滑回路２−１は本図（ｃ）の半波整流用ホトカプラ１−１の出力を平滑する。
本図（ｆ）に示すように、平滑回路２−２は本図（ｄ）の半波整流用ホトカプラ１−２の出力を平滑する。
【００６４】
本図（ｇ）に示すように、論理積回路８のＡＮＤ回路は、本図（ｅ）における平滑回路２−１の出力波形、本図（ｆ）における平滑回路２−２の出力波形の論理積を取ることにより、波線にて表記した部分が除去される。
すなわち、この波形整形により、半波整流用ホトカプラ１−１の出力の電圧残りに起因する半波整流用ホトカプラ１−１の出力矩形波末端の伸びが除去され、半波整流用ホトカプラ１−２の出力矩形波開始端の早まりが除去される。
【００６５】
この場合、半波整流用ホトカプラ１−１の出力の先端部分、半波整流用ホトカプラ１−２の出力末端部分の双方が除去されない。
図１１は、図３における呼び出し信号検出回路５０の動作例で、呼び出し信号の下側半波に電圧残り、呼び出し信号の上側半波に回線極性反転ノイズが発生する場合の例を示すタイムチャートである。
【００６６】
本図（ａ）に示すように、対向局から呼び出し信号の送出先に予告として、回線の極性反転が正極（ノーマル状態：＋Ｖ）から負極（レバース状態：−Ｖ）に行われるとする。
本図（ｂ）に示すように、呼び出し信号の開始前に呼び出し信号の上側半波に回線極性反転ノイズが単発的に発生し、呼び出し信号停止時には、呼び出し信号の下側半波に電圧残りが発生する。
【００６７】
本図（ｃ）に示すように、上記の回線極性ノイズの分だけ、半波整流用ホトカプラ１−１の出力の矩形波先端が早まる。
本図（ｄ）に示すように、上記の電圧残りの分だけ半波整流用ホトカプラ１−２の出力の矩形波末端が伸びる。
本図（ｅ）に示すように、平滑回路２−１は本図（ｃ）の半波整流用ホトカプラ１−１の出力を平滑する。
【００６８】
本図（ｆ）に示すように、平滑回路２−２は本図（ｄ）の半波整流用ホトカプラ１−２の出力を平滑する。
本図（ｇ）に示すように、論理積回路８のＡＮＤ回路は、本図（ｅ）における平滑回路２−１の出力波形、本図（ｆ）における平滑回路２−２の出力波形の論理積を取ることにより、波線にて表記した部分が除去される。
【００６９】
すなわち、この波形整形により、半波整流用ホトカプラ１−１の出力矩形波開始端の早まりが除去され、半波整流用ホトカプラ１−２の電圧残りに起因する半波整流用ホトカプラ１−１の出力矩形波末端の伸びが除去される。
この場合、半波整流用ホトカプラ１−１の出力先端部分、半波整流用ホトカプラ１−２の出力末端部分の双方が除去される。
【００７０】
図１２は、図３における呼び出し信号検出回路５０の動作例で、呼び出し信号の下側半波に電圧残り、呼び出し信号の下側半波に回線極性反転ノイズが発生する場合の例を示すタイムチャートである。
本図（ａ）に示すように、対向局から呼び出し信号の送出先に予告として、回線の極性反転が正極（ノーマル状態：＋Ｖ）から負極（レバース状態：−Ｖ）に行われるとする。
【００７１】
本図（ｂ）に示すように、呼び出し信号の開始前に呼び出し信号の下側半波に回線極性反転ノイズが単発的に発生し、呼び出し信号停止時には、呼び出し信号の下側半波に電圧残りが発生する。
本図（ｃ）に示すように、半波整流用ホトカプラ１−１の出力は、上記のノイズの影響を受けず、正常な出力の波形を示す。
【００７２】
本図（ｄ）に示すように、上記の回線極性ノイズの分だけ、半波整流用ホトカプラ１−２の出力の矩形波先端が早まり、上記の電圧残りの分だけ半波整流用ホトカプラ１−２の出力の矩形波末端が伸びる。
本図（ｅ）に示すように、平滑回路２−１は本図（ｃ）の半波整流用ホトカプラ１−１の出力を平滑する。
【００７３】
本図（ｆ）に示すように、平滑回路２−２は本図（ｄ）の半波整流用ホトカプラ１−２の出力を平滑する。
本図（ｇ）に示すように、論理積回路８のＡＮＤ回路は、本図（ｅ）における平滑回路２−１の出力波形、本図（ｆ）における平滑回路２−２の出力波形の論理積を取ることにより、波線にて表記した部分が除去される。
【００７４】
すなわち、この波形整形により、半波整流用ホトカプラ１−２の出力矩形波開始端の早まりが除去され、半波整流用ホトカプラ１−２の電圧残りに起因する半波整流用ホトカプラ１−１の出力矩形波末端の伸びが除去される。
この場合、半波整流用ホトカプラ１−１の出力先端部分が除去されず、半波整流用ホトカプラ１−２の出力末端部分が除去される。
【００７５】
次に、到来した呼び出し信号の断続パターンを認識する制御回路３について説明を行う。
図１３は、電圧残り、電話回線極性反転ノイズの除去時に除去される半波整流用カプラ１−１の出力先端部、半波整流用カプラ１−２の出力端末部の状況を示す図である。
本図に示すように、図４〜図１２における電圧残り、回線極性反転ノイズの除去時には、半波整流用ホトカプラ１−１の出力先端部分、半波整流用ホトカプラ１−２の出力末端部分の双方が除去され、いずれか一方が除去され、又は双方が除去されない。
【００７６】
すなわち、電圧残り、回線極性反転ノイズを除去するために、論理積回路８のＡＮＤ回路から出力された呼び出し信号の有効波形の幅は、一定にならず、変動を有する。この変動は、呼び出し信号の交流成分に換算して０〜１周期分の変動で非常に小さい。
制御回路３は、この変動分を余裕にとって、到来した呼び出し信号の断続パターンを認識する。
【００７７】
規定の呼び出し信号の認識を厳格にしすぎると、上記の変動に対して、規定の呼び出し信号でないとの誤認識になるが、上記の余裕を取ることにより、規定の呼び出し信号か否かの認識が正確になり、電話機への正確な着信音の鳴動、着信表示の点灯が可能になり、発信者番号の通知、非通知を正確に識別して正確な着信音の鳴動が可能になる。
以上の説明では、極性が正から始まる呼び出し信号で説明したが、極性が負から始まる呼び出し信号についても同様に本発明は適用可能である。
【００７８】
また、０クロスから始まる呼び出し信号で説明したが、０クロスから始まらない呼び出し信号についても同様に本発明は適用可能である。
【００７９】
【発明の効果】
以上説明したように、本発明によれば、呼び出し信号を構成する交流信号を整流し、整流された呼び出し信号を上側半波、下側半波別に平滑して矩形波を形成し、平滑された上側半波、下側半波別の矩形波を論理積により波形処理して呼び出し信号の断続パターンを形成し、形成された呼び出し信号の断続パターンの種別を認識するようにしたので、呼び出し信号停止時の電圧残り、回線の極性反転時のノイズに対して、対向局より到来した呼び出し信号の断続パターンを正確に認識することが可能になり、電話機への正確な着信音の鳴動、着信表示の点灯が可能になり、発信者番号の通知、非通知を正確に識別して正確な着信音の鳴動が可能になる。また、最小の回路構成の追加で最適な呼び出し信号検出回路を低価格で実現することが可能になる。
【図面の簡単な説明】
【図１】本発明に係る端末の局側インタフェースの呼び出し信号検出システムを説明する概略構成を示すブロック図である。
【図２】本発明に係る交換局の局側インタフェースの呼び出し信号検出システムを説明する概略構成を示すブロック図である。
【図３】図１における呼び出し信号検出回路５０の概略構成を示す図である。
【図４】図３における呼び出し信号検出回路５０の動作例を示すタイムチャートである。
【図５】図３における呼び出し信号検出回路５０の動作例であり、呼び出し信号の上側半波に電圧残りが発生する場合の例を示すタイムチャートである。
【図６】図３における呼び出し信号検出回路５０の動作例であり、呼び出し信号の下側半波に電圧残りが発生する場合の例を示すタイムチャートである。
【図７】図３における呼び出し信号検出回路５０の動作例であり、呼び出し信号の上側半波に回線極性反転ノイズが発生する場合の例を示すタイムチャートである。
【図８】図３における呼び出し信号検出回路５０の動作例であり、呼び出し信号の下側半波に回線極性反転ノイズが発生する場合の例を示すタイムチャートである。
【図９】図３における呼び出し信号検出回路５０の動作例で、呼び出し信号の上側半波に電圧残り、回線極性反転ノイズの双方が発生する場合の例を示すタイムチャートである。
【図１０】図３における呼び出し信号検出回路５０の動作例で、呼び出し信号の上側半波に電圧残り、呼び出し信号の下側半波に回線極性反転ノイズが発生する場合の例を示すタイムチャートである。
【図１１】図３における呼び出し信号検出回路５０の動作例で、呼び出し信号の下側半波に電圧残り、呼び出し信号の上側半波に回線極性反転ノイズが発生する場合の例を示すタイムチャートである。
【図１２】図３における呼び出し信号検出回路５０の動作例で、呼び出し信号の下側半波に電圧残り、呼び出し信号の下側半波に回線極性反転ノイズが発生する場合の例を示すタイムチャートである。
【図１３】電圧残り、回線極性反転ノイズの除去時に除去される半波整流用カプラ１−１の出力先端部、半波整流用カプラ１−２の出力端末部の状況を示す図である。
【図１４】本発明の前提となる呼び出し信号検出回路の概略を示す図である。
【図１５】図１４における呼び出し検出回路の動作を説明するタイミングチャートである。
【図１６】呼び出し信号停止時に発生する電圧残りに起因して見かけ上の呼び出し信号停止時が伸びる呼び出し信号検出回路の動作例を示すタイムチャートである。
【図１７】制御回路３による呼び出し信号の断続パターンの認識例を説明する図である。
【図１８】回線の極性反転時に発生するノイズに起因して見かけ上の呼び出し信号開始時が早まる呼び出し信号検出回路の動作例を示すタイムチャートである。
【図１９】呼び出し信号開始時に回線極性反転ノイズが発生しない場合と発生する場合の呼び出し信号の断続を説明する図である。
【符号の説明】
１−１、１−２…半波整流用ホトカプラ
２、２−１、２−２…平滑回路
３…制御回路
４…直流遮断用コンデンサ
５…抵抗
６、７…ツェナーダイオード
８…論理積回路
１０…蓄積プログラム方式交換機
２０…電話回線
３０…端末
４０…局側トランクインタフェース
５０…呼び出し信号検出回路
６０…電話機
８０…ＡＮＤ回路
【図１】
0003616576.tif 000002
【図２】
0003616576.tif 000003
【図３】
0003616576.tif 000004
【図４】
0003616576.tif 000005
【図５】
0003616576.tif 000006
【図６】
0003616576.tif 000007
【図７】
0003616576.tif 000008
【図８】
0003616576.tif 000009
【図９】
0003616576.tif 000010
【図１０】
0003616576.tif 000011
【図１１】
0003616576.tif 000012
【図１２】
0003616576.tif 000013
【図１３】
0003616576.tif 000014
【図１４】
0003616576.tif 000015
【図１５】
0003616576.tif 000016
【図１６】
0003616576.tif 000017
【図１７】
0003616576.tif 000018
【図１８】
0003616576.tif 000019
【図１９】
0003616576.tif 000020